(57)【要約】【課題】安価で低騒音化が図れ、機械室の防水ができる空気調和機の室外機を提供する。【解決手段】空気調和機の室外機は、その筐体内を機械室と送風機室に仕切る仕切板と底板間に介設されかつ、防水性及び緩衝性を有し、機械室と送風機室に跨って底板の上面に敷設されたシートを有する。【選択図】  図１
2004251587.tif 000002
【特許請求の範囲】
【請求項１】
室外機の筐体内を圧縮機が配置される機械室と送風機が配置される送風機室に仕切る仕切板が筐体の底板に立設された空気調和機の室外機において、前記仕切板と前記底板間に介設されかつ、防水性及び緩衝性を有し、前記機械室と前記送風機室に跨って前記底板の上面に敷設されたシートを有することを特徴とする空気調和機の室外機。
【請求項２】
前記シートの機械室側は、前記圧縮機間の載置面を含むように敷設されることを特徴とする請求項１に記載の空気調和機の室外機。
【発明の詳細な説明】
【０００１】
【発明の属する技術分野】
本発明は、空気調和機の室外機に係わり、特に筐体の底板上面に敷設されたシートにより低騒音化、機械室の防水を図った空気調和機の室外機に関する。
【０００２】
【従来の技術】
室内機と室外機とが分離している分離式の空気調和機では、通常、室外機は野外に設置される。室外機は、回転を伴う送風機や圧縮機が内装されているため、室外機の設計に際しては、低騒音化対策が講じられ、また、その内部に格納されている圧縮機、電装品に対しては、外部からの水浸入防止のための防水に対する配慮がなされている。
【０００３】
低騒音化対策として、室外機の筐体の底板に制振鋼鈑を用いるものが提案されているが、板金同士の合わせでは、間隙が発生し、機械室の騒音が仕切板と底板間の間隙から洩れ出したり、仕切板そのものが圧縮機の振動や音圧エネルギー影響を受け、共鳴し騒音源となり、騒音の課題を残し、また、制振鋼鈑は高価であるので室外機が高価になり、さらに、十分な防水対策がなされていないため、室外機の筐体内を圧縮機が配置される機械室と送風機が配置される送風機室とに仕切る仕切板と、筐体底板との間隙に浸水があり、錆発生の原因等になる（例えば、特許文献１参照）。
【０００４】
そこで、安価で低騒音、機械室の防水ができる空気調和機の室外機が要望されていた。
【０００５】
【特許文献１】
特開昭６３−１１１３３７号公報（第２頁左欄下段第１５行〜第１９行、第３頁右欄上段第２行〜第１０行、第１図、第５図）
【０００６】
【発明が解決しようとする課題】
本発明は上述した事情を考慮してなされたもので、安価で低騒音化が図れ、機械室の防水ができる空気調和機の室外機を提供することを目的とする。
【０００７】
【課題を解決するための手段】
上記目的を達成するため、本発明の１つの態様によれば、室外機の筐体内を圧縮機が配置される機械室と送風機が配置される送風機室に仕切る仕切板が筐体の底板に立設された空気調和機の室外機において、前記仕切板と前記底板間に介設されかつ、防水性及び緩衝性を有し、前記機械室と前記送風機室に跨って前記底板の上面に敷設されたシートを有することを特徴とする空気調和機の室外機が提供される。これにより、安価で低騒音化が図れ、機械室の防水ができる空気調和機の室外機が実現される。
【０００８】
好適な一例では、前記シートの機械室側は、前記圧縮機間の載置面を含むように敷設される。これにより、圧縮機の騒音が外部に洩れることが抑制され、室外機は静かになる。
【０００９】
【発明の実施の形態】
以下、本発明に係わる空気調和機の室外機の一実施形態について添付図面を参照して説明する。
【００１０】
図１は空気調和機の室外機の分解図である。
【００１１】
図１に示すように、本実施形態の空気調和機の室外機１は、この室外機１の本体を形成し空気取入口２ａと空気吹出口２ｂが設けられた筐体２を有し、この筐体２は圧縮機３が配置される機械室４と送風機５、熱交換器６が配置される送風機室７とに仕切板８によって仕切られている。
【００１２】
この仕切板８は筐体２、熱交換器６に支持部材８ａを介して支持されて筐体２の底板９に立設されており、仕切板８と底板９間には、シート１０が挟込まれて敷設されている。
【００１３】
図２及び図３に示すように、シート１０は、防水性及び緩衝性を有し、平板扇形状の部材、例えばゴムシートであり、機械室４と送風機室７に跨って底板９の上面に敷設されている。
【００１４】
さらに、図２及び図４に示すように、シート１０の機械室側シート部１０ｍの上方には、圧縮機３が配置されており、シート１０には、圧縮機３の脚部３ａに設けられた防振ゴム３ｂ及び取付ボルト３ｃが貫通する貫通孔１０ａが設けられており、圧縮機３は脚部３ａを介して貫通孔１０ａを貫通する取付ボルト３ｃにより底板９に取付けられている。従って、圧縮機３と底板９との間にシート１０が敷設する構造になっている。防振ゴム３ｂを貫通孔１０ａに貫通させることにより、シート１０の底板９への設置時、位置決めが容易になる。なお、シート１０の材質はゴムに限らず、合成樹脂板等であってもよい。
【００１５】
また、図３に示すように、シート１０の送風機室側部１０ｆは、仕切板８に沿って略々円弧形状に送風機室７側に延出され、シート１０の直線部１０ｂが底板９の立上り淵９ａに当接されている。送風機室側部１０ｆの送風機室７側への延出により、室外機１の組立て時のシート１０のバラツキを吸収することができて、組立てが容易になり、直線部１０ｂの立上り淵９ａへの当接により、室外機１の組立て時のシート１０の位置決めが容易になって、組立てが容易になる。
【００１６】
なお、図１中、符号２ｃは上キャビネット、２ｄは後キャビネット、２ｅはファンガードである。
【００１７】
次に本実施形態の空気調和機の室外ユニットを用いた冷媒の冷却、凝縮について説明する。
【００１８】
第１図に示すように、機械室４に収納された圧縮機３で圧縮され高温になった冷媒は、熱交換器６に流入し、送風機５の回転により空気取入口２ａから取入れられ、空気吹出口２ｂから吹出される空気により冷却されて、凝縮される。
【００１９】
このような冷媒凝縮過程において、圧縮機３は電動機部が回転し、圧縮機部を駆動し冷媒を圧縮するため、圧縮機３から騒音を発するが、図２及び図４に示すように、仕切板８と底板９間には、緩衝性を有するシート１０が挟込まれて敷設されているので、仕切板８と底板９間のシール性が向上し、機械室４から洩れ出す圧縮機３からの騒音は効果的に遮断され、送風機室７を介して室外機１の圧縮機３の騒音が外部に洩れることが抑制され、室外機１は静かになる。また、仕切板８と底板９間のシート１０の挟込み介在により、圧縮機３の振動や音圧エネルギーの影響を受けても仕切板８と底板９は制振され、室外機１は静かになる。さらに、圧縮機３と底板９との間にシート１０が挟込まれて介在する構造になっているので、圧縮機３の騒音が外部に洩れることが抑制され、室外機１は静かになる。
【００２０】
また、送風機室７には、空気取入口２ａ及び空気吹出口２ｂが設けられているので、降雨時に空気取入口２ａ、空気吹出口２ｂから雨水が送風機室７に侵入することがあるが、防水性を有するシート１０が仕切板８と底板９間に挟込まれて介在されているので、仕切板８と底板９間のシール性が向上し、機械室４への浸水は防止され、圧縮機３を囲繞するように設けられた防音布への湿潤や圧縮機３の錆が防止される。
【００２１】
【発明の効果】
本発明に係わる空気調和機の室外機によれば、安価で低騒音化が図れ、機械室の防水ができる空気調和機の室外機を提供することができる。
【図面の簡単な説明】
【図１】本発明に係わる空気調和機の室外機の分解図。
【図２】本発明に係わる空気調和機の室外機に用いられるシート近傍を示す斜視図。
【図３】本発明に係わる空気調和機の室外機に用いられるシート近傍を示す平面図。
【図４】本発明に係わる空気調和機の室外機に用いられるシート近傍を示す断面図。
【符号の説明】
１  空気調和機の室外機
２  筐体
２ａ  空気取入口
２ｂ  空気吹出口
２ｃ  上キャビネット
２ｄ  後キャビネット
２ｅ  ファンガード
３  圧縮機
３ａ  脚部
３ｂ  防振ゴム
３ｃ  取付ボルト
４  機械室
５  送風機
６  熱交換器
７  送風機室
８  仕切板
９  底板
９ａ  立上り淵
１０  シート
１０ａ  貫通孔
１０ｂ  直線部
１０ｆ  送風機室側部
１０ｍ  機械室側部
【図１】
2004251587.tif 000003
【図２】
2004251587.tif 000004
【図３】
2004251587.tif 000005
【図４】
2004251587.tif 000006